(57)【要約】【課題】打設コンクリートの締め固めを確実に行いつつ、余剰水を効率よく確実に取り除くことのできるコンクリート余剰水除去装置を提供する。【解決手段】打設されたコンクリート１２内にバイブレータ１６の棒状の振動部２６を挿入してコンクリート１２に振動を加えブリージングした余剰水をバキュームポンプ３６にて吸引除去するコンクリート余剰水除去装置１０において、複数の通水孔２８を有し振動部２６の外面との間に隙間をあけて振動部２６に装着され振動部２６との間にバキュームポンプ３６と接続される通水路３２を形成する筒体１８と、筒状に成形され筒体１８を覆って装着される保形性を有するフィルター２０とを有する。【選択図】図１
2009035856.tif 000002
【特許請求の範囲】
【請求項１】
打設されたコンクリート内にバイブレータの棒状の振動部を挿入して前記コンクリートに振動を加えブリージングした余剰水をバキュームポンプにて吸引除去するコンクリート余剰水除去装置において、
複数の通水孔を有し前記振動部の外面との間に隙間をあけて前記振動部に装着され前記振動部との間に前記バキュームポンプと接続される通水路を形成する筒体と、
筒状に成形され前記筒体を覆って装着される保形性を有するフィルターとを有することを特徴とするコンクリート余剰水除去装置。
【請求項２】
請求項１において、
前記通水路には、前記フィルターに対して洗浄用の圧力水を供給する給水ポンプが接続されることを特徴とするコンクリート余剰水除去装置。
【発明の詳細な説明】
【技術分野】
【０００１】
本発明は、打設されたコンクリートに振動を加えて締め固めて余剰水を除去するためのコンクリート余剰水除去装置に関する。
【背景技術】
【０００２】
一般に、打設コンクリートの中には、セメントと水との水和反応に必要な水量よりも多い水量の水が含まれている。
【０００３】
これは、コンクリートを打設する際の流動性を良好にし、コンクリートの施工性を向上させるためである。
【０００４】
しかし、コンクリートのセメントに対しての水の含有率（水セメント比）が大きいと、骨材等の重い材料が沈殿し密度の軽い水が浮いてくるブリージング現象が発生し、また、コンクリートが硬化したときの乾燥収縮量が大きくなる。
【０００５】
ブリージング現象が発生したコンクリートや乾燥収縮量が大きいコンクリートは、ひび割れ等が生じ、コンクリートの強度や耐久性が低下したり、美観を損なう等の問題が生じる。
【０００６】
特に、コンクリートの上部は下部に比べて、強度が低下する。
【０００７】
この原因は、コンクリートの上部はブリージングによってコンクリートの水セメント比が増加し、強度が低下するのに対して、コンクリートの下部はコンクリートの側圧によって、水和反応が促進し、強度が増加することによるもので、この結果コンクリートの強度の上下の不均一が生じている。
【０００８】
通常、表面に浮いてくるブリージング水は、スポンジやひしゃく、バキューム等により除去するが、これではコンクリート天端部分のコンクリート中の余剰水は除去できない。
【０００９】
そこで、高い周波数で振動する振動棒と、振動棒に平行に延在する筒体とが螺旋コイル体内に挿入された棒状のコンクリートバイブレータを打設コンクリート内に挿入し、振動棒を振動させてコンクリート天端部分の締固めを行い、余剰水を螺旋コイル体内に集め、螺旋コイル体を徐々に引き上げることで集められた余剰水を上昇させて排出する提案がなされている（特許文献１参照）。
【特許文献１】特開２００２−４５８３号公報
【発明の開示】
【発明が解決しようとする課題】
【００１０】
このようなコンクリートバイブレータにあっては、振動する振動棒の外周全体に螺旋コイル体が配置されているため、振動棒の振動がコンクリートに有効に伝達されず、コンクリートの締め固めが効果的に行えなえず、また、螺旋コイル体を徐々に引き上げることで余剰水を上昇させて排出するため、螺旋コイル体内に貯留される量の余剰水だけが排出され、多量の余剰水を排出する場合には螺旋コイルを引き上げては挿入するという作業を繰り返さなければならず、作業者の負担が大きいという問題がある。
【００１１】
本発明の目的は、打設コンクリートの締め固めを確実に行いつつ、余剰水を効率よく確実に取り除くことのできるコンクリート余剰水除去装置を提供することにある。
【課題を解決するための手段】
【００１２】
前記目的を達成するため、本発明のコンクリート余剰水除去装置は、打設されたコンクリート内にバイブレータの棒状の振動部を挿入して前記コンクリートに振動を加えブリージングした余剰水をバキュームポンプにて吸引除去するコンクリート余剰水除去装置において、
複数の通水孔を有し前記振動部の外面との間に隙間をあけて前記振動部に装着され前記振動部との間に前記バキュームポンプと接続される通水路を形成する筒体と、
筒状に成形され前記筒体を覆って装着される保形性を有するフィルターとを有することを特徴とする。
【００１３】
本発明によれば、複数の通水孔を有する筒体にて通水路を形成し、この筒体上に保形性のあるフィルターを装着することで、振動部の振動を確実にコンクリートに伝達して、コンクリートの締固めを確実に行うことができ、しかも、フィルタを通してセメント粒子を取り入れることなく、余剰水のみを通水孔を通して通水路に取り入れることができ、通水路内の余剰水はバキュームポンプにて排出できるため、余剰水を効率よく確実に取り除くことができる。
【００１４】
また、フィルターは保形性を有する成形品となっているため、フィルターの装着、取り外し等が容易で、作業中にフィルターがずれたり、外れたりするのを防止でき、取り扱い性が向上する。
【００１５】
本発明においては、前記通水路には、前記フィルターに対して洗浄用の圧力水を供給する給水ポンプが接続されるようにすることができる。
【００１６】
このような構成とすることにより、洗浄用の圧力水を用いてフィルターの洗浄を容易に行うことができ、フィルターの目詰まりを容易に解消することができる、
特に、フィルターは、保形性を有する成形品であるため、洗浄時に変形したり、外れたりすることがない。
【発明を実施するための最良の形態】
【００１７】
以下、本発明の実施の形態について、図面を参照して説明する。
【００１８】
図１及び図２は、本発明の一実施の形態に係るコンクリート余剰水除去装置を示す図である。
【００１９】
この実施の形態に係るコンクリート余剰水除去装置１０は、図１に示すように、打設されたコンクリート１２の天端部１４に差し込まれて使用されるもので、バイブレータ１６と、筒体１８と、フィルター２０とを有している。
【００２０】
バイブレータ１６は、図示せぬが内部に駆動源と、この駆動源の駆動力にて振動を発生させる振動発生部とを有しており、電源コード２２がキャップ２４を通して前記駆動源に接続されている。
【００２１】
そして、前記振動発生部の振動が棒状の振動部２６に伝達されて、振動部２６が振動するようになっており、この振動部２６の振動が筒部１８、フィルター２０を介してコンクリート１２に伝達され、このコンクリート１２の振動によって、コンクリート１２が締め固められるようになっている。
【００２２】
筒体１８は、有底筒状のもので、振動部２６全体を覆うように装着されるようになっている。
【００２３】
この筒体１８は、複数の通水孔２８が放射状に形成されており、図２及び図３に示すように、振動部２６の外面との間にスペーサ３０を介して所定の隙間をあけて配置され、振動部２６との間に通水路３２が形成されるようになっている。
【００２４】
通水路３２は、上部でキャップ２４を介してバキュームホース３４と接続され、このバキュームホース３４を介してバキュームポンプ３６と接続されている。
【００２５】
したがって、バキュームポンプ３６にて通水路３２内を吸引することで、バイブレータ１６により締め固められたコンクリート１２の天端部１４付近の余剰水を複数の通水孔２８より通水路３２に確実に導き、効率よく排水することができることとなる。
【００２６】
フィルター２０は、有底筒状に成形された保形性のあるものとされ、筒体１８を覆って装着されるようになっている。
【００２７】
このように、フィルター２０は、保形性を有する成形品となっているため、フィルター２０の装着、取り外し等が容易で、作業中にフィルター２０がずれたり、外れたりするのを防止でき、取り扱い性が向上する。
【００２８】
また、このフィルター２０は、水のみを通過させ、セメント粒子を通過させない程度の目の細かさとされている。
【００２９】
したがって、余剰水のみを吸引、除去しうる状態となっている。
【００３０】
このフィルター２０は、例えばＰＶＡ（ポリビニルアルコール）スポンジ、焼成珪藻土またはセラミックス製濾材にて形成されるようになっている。
【００３１】
ＰＶＡスポンジは、ポリビニルアルコールを原料とした連続気孔の多孔質体をいう。
【００３２】
このような材料を用いることにより、保形性のある成形フィルターを容易に得ることができる。
【００３３】
また、バキュームホース３４は、キャップ２４から取り外し可能となっており、このバキュームホース３４をキャップ２４から取り外して吸水ポンプ３８に接続した吸水ホース４０を取り付けることで、フィルター２０に圧力水を供給できるようになっており、洗浄用の圧力水を用いてフィルター２０の洗浄を容易に行うことができ、フィルター２０に付着したセメント粒子等を除去してフィルター２０の目詰まりを容易に解消することができる。
【００３４】
特に、フィルター２０は、保形性を有する成形品であるため、洗浄時に変形したり、外れたりすることがない。
【００３５】
このようなコンクリート余剰水除去装置１０によれば、複数の通水孔２８を有する筒体１８にて振動部２６との間に通水路３２を形成し、この筒体１８上に保形性のあるフィルター２０を装着することで、振動部２６の振動を確実にコンクリート１２に伝達して、コンクリート１２の締め固めを確実に行うことができ、しかも、フィルター２０を通してセメント粒子を取り入れることなく、余剰水のみを通水孔２８を通して通水路３２に取り入れることができ、通水路３２内の余剰水はバキュームポンプ３６にて排出できるため、余剰水を効率よく確実に取り除くことができる。
【００３６】
本発明は、前記実施の形態に限定されるものではなく、本発明の要旨の範囲内において種々の形態に変形可能である。
【００３７】
例えば、前記実施の形態においては、筒体によって通水路を振動部との間に形成するようにしているが、通水孔を有する複数のパイプによって通水路を形成するようにしてもよい。
【図面の簡単な説明】
【００３８】
【図１】本発明の一実施の形態に係るコンクリート余剰水除去装置を示す全体概略図である。
【図２】図１の要部拡大断面図である。
【図３】図２の横断面図である。
【符号の説明】
【００３９】
１０  コンクリート余剰水除去装置
１２  コンクリート
１６  バイブレータ
１８  筒体
２０  フィルター
２６  振動部
２８  通水孔
３２  通水路
３６  バキュームポンプ
【図１】
2009035856.tif 000003
【図２】
2009035856.tif 000004
【図３】
2009035856.tif 000005